(57)【特許請求の範囲】
【請求項１】
発振回路（１５）を備えて電源（１３）側に接続される一次側回路と蛍光灯（１１）の両電極（１１ａ，１１ｂ）間に接続される二次側回路とをトランス（１６）を介して接続すると共に、前記二次側回路には各電極（１１ａ，１１ｂ）毎に対応して閉ループ回路（２１ａ，２１ｂ）を形成し、前記トランス（１６）における一次側巻線（１７）と二次側巻線（１９）との巻数比に応じて励起される電圧に基づき前記各閉ループ回路（２１ａ，２１ｂ）のフィラメント巻線（２０ａ，２０ｂ）に電流を供給して前記両電極（１１ａ，１１ｂ）間に電圧を印加するインバータ式蛍光灯（１０）の点灯回路（１２）において、
前記各閉ループ回路（２１ａ，２１ｂ）に、当該回路におけるフィラメント巻線（２０ａ，２０ｂ）からの出力を制限する限流素子（２３）がトランス（１６）側から見て電極（１１ａ，１１ｂ）と直列に接続されるとともに、
前記各閉ループ回路（２１ａ，２１ｂ）には、トランス（１６）側からみて電極（１１ａ，１１ｂ）と並列に、かつ前記限流素子（２３）を含まないでフィラメント巻線（２０ａ，２０ｂ）と閉ループを構成する、同一陰極内放電の急峻な放電エネルギーを吸収するバイパス素子（２２）を接続した
インバータ式蛍光灯の点灯回路。
【請求項２】
前記バイパス素子及び前記限流素子は、コンデンサ（２２，２３）から構成されている請求項１に記載のインバータ式蛍光灯の点灯回路。
【請求項３】
前記バイパス素子を構成するコンデンサ（２２）と、前記限流素子を構成するコンデンサ（２３）のインピーダンス比が、１００：６０である請求項２に記載のインバータ式蛍光灯の点灯回路。
【発明の詳細な説明】
【０００１】
【発明の属する技術分野】
本発明は、インバータ式蛍光灯における点灯回路の構成に関するものである。
【０００２】
【従来の技術】
近年、蛍光灯の点灯方式として、インバータを利用した高周波点灯が広く採用されている。このようなインバータ式蛍光灯は、商用交流電源の得られる一般の照明以外に、非常用照明及び車両用照明等、直流電源（バッテリ等）を利用する場合の照明にも広く使用されている。直流電源を使用する場合には、同直流電源からの直流電圧をインバータにより高周波電圧に変換し、この高周波電圧を蛍光灯の両電極間に印加することによって、蛍光灯を点灯させる。
【０００３】
即ち、図１２に示すように、インバータ式蛍光灯３０の点灯回路３１において、直流電源３２からインバータ回路３３に所定の直流電圧が印加されると、発振回路３４の発振によりトランス３５においては一次側の発振制御用巻線３６及び一次側巻線３７に高周波電圧が発生する。すると、トランス３５の二次側巻線３８及びフィラメント巻線３９ａ, ３９ｂには、それぞれトランス３５の一次側巻線３７の巻数比に比例した高周波電圧が励起される。
【０００４】
フィラメント巻線３９ａ, ３９ｂから出力されたフィラメント電流は、蛍光ランプ４０の点灯に先立って電子放射物質が塗布された電極４０ａ，４０ｂに流され、この結果、両電極４０ａ，４０ｂは加熱される。両電極４０ａ，４０ｂの温度が熱電子を放出しやすい温度に達して予熱が完了すると、二次側巻線３８に励起された高周波電圧が両電極４０ａ, ４０ｂ間に印加され、蛍光ランプ４０が点灯する。
【０００５】
例えば、蛍光ランプ４０の出力が８Ｗの場合、フィラメント巻線３９ａ, ３９ｂから出力されるフィラメント電流の包絡波形は図１３に示す形状となる。即ち、予熱電流としての突入電流Ｉｆｐの大きさが６００ｍＡ、定常電流Ｉｆｓの大きさが３００〜４００ｍＡとなる。定常電流Ｉｆｓの大きさは蛍光ランプ４０のＷ数により決定される。尚、蛍光ランプ４０は電子放射物質が消耗され、放電不能となったときが寿命切れとなる。
【０００６】
【発明が解決しようとする課題】
ところが、前述した従来のインバータ式蛍光灯３０の点灯回路３１には次のような問題点があった。
【０００７】
第１に、蛍光ランプ４０の寿命末期において、前記電極４０ａ, ４０ｂが切れた場合、この切れた電極４０ａ, ４０ｂの先端と当該電極４０ａ, ４０ｂの端部を支持する金属支柱（図示略）との間で異常放電（同一陰極内放電）が発生する。すると、この異常放電電流はトランス３５側へ流れ、二次側巻線３８及びフィラメント巻線３９ａ, ３９ｂを介してトランス３５の一次側へ伝わる。即ち、相互誘導作用により、発振回路３４の発振を司る発振制御用巻線３６に不正な誘導起電力が発生し、このため、発振回路３４の定常的な発振が乱れ、発振不良を引き起こすおそれがあった。
【０００８】
第２に、蛍光ランプ４０は、その始動初期（予熱時）において、電極４０ａ, ４０ｂの電子放射物質から熱電子が多量に放出されるという特性を有している。このため、蛍光ランプ４０を頻繁に入り切りする（点滅させる）と、電子放射物質の消耗が促進され、蛍光ランプ４０の点滅寿命が低下する。蛍光ランプ４０の点滅寿命を向上させるためには、予熱を早く完了し、電子放射物質の消耗を抑えればよい。予熱を早く完了させるためには、電極４０ａ, ４０ｂの温度がフィラメント電流の瞬時値と電極４０ａ, ４０ｂの抵抗値との積の積分値で表わされることから、フィラメント電流のピーク値（突入電流）を大きくすればよい。即ち、図１２に示すフィラメント巻線の出力電圧Ｖｆａ、Ｖｆｂを大きくすればよいわけである。
【０００９】
ところが、電極４０ａ, ４０ｂには、１０〜１２Ｖ以上の電圧がかかると、エンドグローと呼ばれる同一陰極内放電が発生するという特性がある。エンドグローとは、電子放射物質の影響により、フィラメント電流が電極４０ａ, ４０ｂ内を流れず、同一電極４０ａ, ４０ｂの外表面にて発生する放電現象である。エンドグローが発生すると、電極４０ａ, ４０ｂが異常に発熱して蛍光ランプ４０の寿命が低下する。このため、フィラメント巻線３９ａ, ３９ｂの出力電圧Ｖｆａ、Ｖｆｂは１０Ｖ程度に抑える必要があり、必然的にフィラメント電流のピーク値（突入電流の大きさ）が決定される。従って、蛍光ランプ４０の予熱完了時間の短縮、即ちフィラメント電流のピーク値の向上は技術的に困難であった。
【００１０】
本発明は前記問題点を解決するためになされたものであって、その第１の目的は、蛍光灯の寿命末期において、同一陰極内放電が発生しても発振回路の発振不良を防止することができるインバータ式蛍光灯の点灯回路を提供することにある。本発明の第２の目的は、予熱完了時間を短縮し、蛍光ランプの点滅寿命を向上させることができるインバータ式蛍光灯の点灯回路を提供することにある。
【００１１】
【課題を解決するための手段】
請求項１に記載の発明は、発振回路を備えて電源側に接続される一次側回路と蛍光灯の両電極間に接続される二次側回路とをトランスを介して接続すると共に、前記二次側回路には各電極毎に対応して閉ループ回路を形成し、前記トランスにおける一次側巻線と二次側巻線との巻数比に応じて励起される電圧に基づき前記各閉ループ回路のフィラメント巻線に電流を供給して前記両電極間に電圧を印加するインバータ式蛍光灯の点灯回路において、前記各閉ループ回路に、当該回路におけるフィラメント巻線からの出力を制限する限流素子がトランス側から見て電極と直列に接続されるとともに、前記各閉ループ回路には、トランス側からみて電極と並列に、かつ前記限流素子を含まないでフィラメント巻線と閉ループを構成する、同一陰極内放電の急峻な放電エネルギーを吸収するバイパス素子を接続したことをその要旨とする。
【００１２】
請求項２に記載の発明は、請求項１に記載の発明において、前記バイパス素子及び前記限流素子は、コンデンサから構成されていることをその要旨とする。
【００１３】
請求項３に記載の発明は、請求項２に記載の発明において、前記バイパス素子を構成するコンデンサと、前記限流素子を構成するコンデンサのインピーダンス比が、１００：６０であることをその要旨とする。
【００１４】
（作用）
従って、請求項１〜３に記載の発明では、蛍光灯の寿命末期において、同一陰極内放電が発生した場合、バイパス素子により異常放電時の急峻な放電エネルギーが効率よく吸収される。このため、二次側巻線及びフィラメント巻線へ流れ込む異常放電電流が減少する。
【００１５】
また、フィラメント巻線の出力電圧を増大させることなく、フィラメント電流のピーク値が増大する。このため、電極にてエンドグローを発生させることなく、電極の予熱完了時間が短縮される。
【００１８】
【発明の実施の形態】
以下、本発明をインバータ式蛍光灯に具体化した一実施形態を図１に従って説明する。
【００１９】
図１に示すように、インバータ式蛍光灯１０は蛍光灯としての蛍光ランプ１１、同蛍光ランプ１１を点灯する点灯回路１２、及び車両用バッテリ等の直流電源１３を備えている。点灯回路１２は直流電源１３からの直流電圧を高周波交流電圧に変換するインバータ回路１４を備えている。
【００２０】
インバータ回路１４は発振回路１５及びトランス１６を備えている。発振回路１５はスイッチング素子としてのトランジスタ、コイル及びコンデンサ等（図示略）から構成されており、これらの共振を利用して直流電源１３からの直流電圧を高周波電圧に変換する。トランス１６は一次側巻線１７、発振制御用巻線１８、二次側巻線１９及び一対のフィラメント巻線２０ａ, ２０ｂ等から構成されている。
【００２１】
前記直流電源１３のプラス極には一次側巻線１７の一端が接続されており、マイナス極には発振制御用巻線１８の一端が接続されている。両巻線１７, １８の他端はそれぞれ発振回路１５に接続されている。また、発振制御用巻線１８は前記直流電源１３と接続される側の途中が発振回路１５接続されている。
【００２２】
前記両フィラメント巻線２０ａ, ２０ｂの両端はそれぞれ蛍光ランプ１１の電極１１ａ, １１ｂに接続されており、同フィラメント巻線２０ａ，２０ｂと電極１１ａ, １１ｂとから閉ループ回路２１ａ, ２１ｂが形成されている。両フィラメント巻線２０ａ, ２０ｂ間には二次側巻線１９が配置されている。二次側巻線１９の一端はフィラメント巻線２０ａにリレー回路（図示略）を介して接続されており、他端はフィラメント巻線２０ｂに接続されている。前記リレー回路は制御部（図示略）により投入開放制御される。
【００２３】
両電極１１ａ，１１ｂは温度依存性抵抗負荷であるタングステンにより形成されており、温度変化に伴って抵抗値が増減する。また、両電極１１ａ，１１ｂの表面には熱電子の放射を容易にする電子放射物質が塗布されている。電子放射物質はバリウム、ストロンチウム、カルシウム等のアルカリ土類金属の酸化物が主成分とされており、加熱されることにより熱電子を放出する。
【００２４】
前記各閉ループ回路２１ａ, ２１ｂには、それぞれトランス１６側から見て電極１１ａ, １１ｂと並列にバイパス素子としてのバイパスコンデンサ２２が接続されている。また、各閉ループ回路２１ａ, ２１ｂにはそれぞれトランス１６側から見て電極１１ａ, １１ｂと直列に限流素子としての限流コンデンサ２３が接続されている。限流素子はフィラメント巻線２０ａ, ２０ｂから出力されるフィラメント電流を制限するものである。
【００２５】
前記点灯回路１２において、フィラメント巻線２０ａ, ２０ｂの出力電圧Ｖｆａ, Ｖｆｂは一定である。この状態において、フィラメント巻線２０ａ, ２０ｂから出力されるフィラメント電流の包絡波形が図２に示す形状となるように両コンデンサ２２, ２３の静電容量及びフィラメント巻線２０ａ，２０ｂの抵抗値がそれぞれ選択されている。また、バイパスコンデンサ２２と限流コンデンサ２３とのインピーダンス比は１００：６０とされている。
【００２６】
本実施形態において、蛍光ランプ１１の出力は８Ｗ、フィラメント巻線２０ａ，２０ｂの抵抗値は１５Ω程度、バイパスコンデンサ２２の静電容量は０．０４７μＦ、限流コンデンサ２３の静電容量は０．２２μＦとされている。これらの条件の下、予熱電流としての突入電流Ｉｆｐの大きさは７００〜８００ｍＡ、定常電流Ｉｆｓの大きさは３００〜４００ｍＡとなる。定常電流Ｉｆｓの大きさは蛍光ランプ１１のＷ数により決定される。
【００２７】
尚、突入電流Ｉｆｐとは、フィラメント巻線２０ａ, ２０ｂの出力電圧Ｖｆａ, Ｖｆｂ発生直後に電極１１ａ, １１ｂに流れ込むフィラメント電流の初期値のことである。定常電流Ｉｆｓとは、突入電流Ｉｆｐが限流コンデンサ２３により徐々に限流され、安定して電極１１ａ, １１ｂに供給されるほぼ一定量の電流のことである。
【００２８】
従って、前記点灯回路１２のインピーダンス的なバランス調整によりフィラメント電流の包絡波形の制御がなされ、フィラメント巻線２０ａ, ２０ｂの出力電圧Ｖｆａ, Ｖｆｂを増大させることなく、予熱電流Ｉｆａｐ, Ｉｆｂｐの増大が図られている。
【００２９】
次に、前記のように構成したインバータ式蛍光灯１０の点灯回路１２の作用を説明する。
前記点灯回路１２において、直流電源１３からインバータ回路１４に所定の直流電圧が印加されると、発振回路１５内のトランジスタが極めて短い周期でＯＮ・ＯＦＦ動作を繰り返す。このトランジスタのＯＮ・ＯＦＦ周期により発振制御用巻線１８の極性が連続して反転され、同発振制御用巻線１８に高周波交流電圧が発生する。すると、トランス１６の二次側巻線１９及びフィラメント巻線２０ａ, ２０ｂには、一次側巻線１７の巻数比に比例した高周波電圧Ｖｓ, Ｖｆａ, Ｖｆｂが励起される。
【００３０】
フィラメント巻線２０ａ, ２０ｂから出力されたフィラメント電流は電極１１ａ，１１ｂに流れ込み、この結果、電極１１ａ，１１ｂが加熱される。このとき、フィラメント電流の波形は点灯回路１２のインピーダンスのバランスにより図２に示す形状に制御され、突入電流Ｉｆｐの大きさは７００〜８００ｍＡとなる。これは両コンデンサ２２，２３を設けない従来技術と比べて、１００〜２００ｍＡ程度大きな値である。電極１１ａ, １１ｂはジュールの法則により電流の２乗に比例して加熱されるため、同電極１１ａ, １１ｂは従来技術と比べて早く加熱される。フィラメント電流は限流コンデンサ２３により、徐々に定常電流Ｉｆｓの大きさに近づくように限流され、定常電流Ｉｆｓにて一定となる。
【００３１】
ところで、電極１１ａ, １１ｂは温度依存性抵抗負荷であるので、予熱などの周囲温度の変化によって抵抗値が増減する。その場合、フィラメント巻線２０ａ, ２０ｂの電圧は一定であるので、オームの法則により電極１１ａ, １１ｂに流れる電流も変化してしまう。しかし、本実施形態では限流コンデンサ２３を設けたことにより、インピーダンス変化を少なくすることができるため、電極１１ａ, １１ｂに流れる電流の変化幅を規制し安定供給させることができる。
【００３２】
また、電極１１ａ, １１ｂの予熱中（２〜３秒）、二次側巻線１９には所定の高周波電圧Ｖｓが励起されているものの、前記リレー回路（図示略）が開放状態に保持されているため、電極１１ａ, １１ｂ間には電圧が印加されない。そして、前記電極１１ａ，１１ｂの温度が熱電子を放出しやすい温度に達して予熱が完了すると、前記リレー回路（図示略）が投入され、二次側巻線１９に励起された高周波電圧が蛍光ランプ１１の両電極１１ａ, １１ｂ間に印加される。この結果、両電極１１ａ, １１ｂを通じて放電が開始され、蛍光ランプ１１が点灯する。
（異常放電発生時）
一方、蛍光ランプ１１の寿命末期において、電極１１ａ，１１ｂが切れた場合、この切れた電極１１ａ, １１ｂの先端と電極１１ａ, １１ｂの端部を支持する金属支柱（図示略）との間で異常放電が発生する。ところが、本実施形態では、この異常放電により生じた異常放電電流は二次側巻線１９及びフィラメント巻線２０ａ, ２０ｂに流れ込む前に、バイパスコンデンサ２２により吸収される。このため、異常放電電流がフィラメント巻線２０ａ, ２０ｂ及び二次側巻線１９を介して、トランス１６一次側の発振制御用巻線１８に異常電圧として出力されることがない。従って、発振回路１５の定常的な発振が保持される。
従って、本実施形態によれば、以下の効果を得ることができる。
【００３３】
（１）  各閉ループ回路２１ａ, ２１ｂに、トランス１６側から見て電極１１ａ, １１ｂと並列にコンデンサ２２を接続した。このため、蛍光ランプ１１の寿命末期において生じる同一陰極内放電の急峻な放電エネルギーが効率よく吸収される。即ち、異常放電電流が二次側巻線１９及びフィラメント巻線２０ａ, ２０ｂを介してトランス１６の一次側に伝わり、電圧として発振制御用巻線１８に出力されることがない。従って、同一陰極内放電発生時における発振回路１５の発振不良を防止することができる。
【００３４】
（２）   各閉ループ回路２１ａ, ２１ｂにはトランス１６側から見て電極１１ａ, １１ｂと並列にバイパスコンデンサ２２を接続すると共に、トランス１６側から見て電極１１ａ, １１ｂと直列に限流コンデンサ２３を接続した。即ち、両コンデンサ２２，２３により点灯回路１２のインピーダンスの微妙なバランスが制御され、フィラメント巻線２０ａ, ２０ｂの出力電圧Ｖｆａ, Ｖｆｂは一定のままで、予熱電流としての突入電流Ｉｆｐの大きさが従来技術と比べて大きくなる。このため、予熱開始から予熱完了までの時間が短縮され、蛍光ランプ１１の始動時における電子放射物質の消耗が低減する。従って、蛍光ランプ１１の点滅寿命を向上させることができる。
【００３５】
特にこの効果は周囲温度が低い状態でより顕著である。ちなみに、−２５℃の雰囲気中における蛍光ランプ１１の点滅寿命試験の結果、両コンデンサ２２，２３を設けていない場合の点滅回数が５０００〜１００００回であったのに対し、本実施形態における蛍光ランプ１１の点滅回数は約５００００回であった。即ち、点滅寿命が従来の５〜１０倍となった。
【００３６】
（３）  各閉ループ回路２１ａ, ２１ｂに、トランス１６側から見て電極１１ａ, １１ｂと並列にバイパスコンデンサ２２を接続するのみで、蛍光ランプ１１の寿命末期の異常に対応することができる。即ち、蛍光ランプ１１の寿命末期において、同一陰極内放電が発生した場合、簡単な構成にもかかわらずバイパスコンデンサ２２により異常放電時の急峻な放電エネルギーを効率よく吸収することができる。
【００３７】
（４）   各閉ループ回路２１ａ, ２１ｂにはトランス１６側から見て電極１１ａ，１１ｂと直列に限流コンデンサ２３を接続した。このため、予熱などの周囲温度変化により電極１１ａ, １１ｂの抵抗値が変化しても、フィラメント電流は限流コンデンサ２３によって変化が制限される。従って、蛍光ランプ１１に安定した電流を供給できると共に、同蛍光ランプ１１を安定して点灯させることができる。また、限流素子として限流コンデンサ２３を使用することにより、従来方式と比べて回路構成が簡単になると共に低コスト化を図ることができる。
【００３８】
尚、前記実施形態は以下のように変更して実施してもよい。
・  本実施形態においてはバイパスコンデンサ２２と限流コンデンサ２３とを組合せたが、図３（ａ）〜図１０（ａ）に示すように、バイパスコンデンサ２２をバイパス素子としてのバイパス抵抗２４又はバイパスコイル２５に置き換えると共に、限流コンデンサ２３を限流素子としての限流抵抗２６又は限流コイル２７に置き換えてもよい。
【００３９】
即ち、図３（ａ）示すバイパスコイル２５と限流コイル２７との組合せ、図４（ａ）に示すバイパスコイル２５と限流コンデンサ２３との組合せ、図５（ａ）示すバイパスコイル２５と限流抵抗２６との組合せ、図６（ａ）示すバイパスコンデンサ２２と限流コイル２７との組合せ、図７（ａ）示すバイパスコンデンサ２２と限流抵抗２６との組合せ、図８（ａ）示すバイパス抵抗２４と限流コイル２７との組合せ、図９（ａ）示すバイパス抵抗２４と限流コンデンサ２３との組合せ、図１０（ａ）示すバイパス抵抗２４と限流抵抗２６との組合せのうちいずれの組合せとしてもよい。このようにしても、蛍光ランプ１１の寿命末期において、同一陰極内放電により発生する異常放電電流を、バイパスコンデンサ２２、バイパス抵抗２４又はバイパスコイル２５のうちいずれか一つにより吸収することができる。
【００４０】
また、図３（ａ）〜図８（ａ）に示す組合せの回路において、フィラメント巻線２０ａ, ２０ｂの出力電圧Ｖｆａ, Ｖｆｂは本実施形態と同様に一定とされている。そして、フィラメント巻線２０ａ, ２０ｂから出力されるフィラメント電流の包絡波形が図３（ｂ）〜図８（ｂ）に示す形状となるように、前記バイパスコンデンサ２２及び限流コンデンサ２３の静電容量、バイパス抵抗２４及び限流抵抗２６のリアクタンス、バイパスコイル２５及び限流コイル２７のインダクタンスがそれぞれ選択されている。このため、図３（ａ）〜図８（ａ）に示す各組合せの回路によれば、予熱電流Ｉｆｐの大きさが、同図３（ｂ）〜図８（ｂ）に破線で示す従来技術における予熱電流Ｉｆｐの大きさに比べて大きくなる。従って、予熱完了時間を短縮することができる。
【００４１】
また、図９（ａ）及び図１０（ａ）に示す組合せの回路においても、フィラメント巻線２０ａ, ２０ｂの出力電圧Ｖｆａ, Ｖｆｂは本実施形態と同様に一定とされている。そして、フィラメント巻線２０ａ, ２０ｂから出力されるフィラメント電流の包絡波形が図９（ｂ）及び図１０（ｂ）に示す形状となるように、限流コンデンサ２３の静電容量、バイパス抵抗２４及び限流抵抗２６のリアクタンスがそれぞれ選択されている。このため、図９（ａ）又は図１０（ａ）に示す組合せによれば、予熱電流Ｉｆｐの大きさが従来技術の予熱電流Ｉｆｐに比べて小さくなる。
【００４２】
ところで、蛍光ランプ１１の電極１１ａ, １１ｂの属性はメーカ各社により異なり、電極１１ａ, １１ｂのフィラメントコイル自身が細く耐突入電流性に乏しい蛍光ランプ１１に対する予熱は、本実施形態と異なり、予熱電流としての突入電流Ｉｆｐを小さくして徐々に行う必要がある。この場合、図９（ａ）又は図１０（ａ）に示す組合せの回路を使用すれば、電極１１ａ, １１ｂの予熱は徐々に行われ、両電極１１ａ, １１ｂの損傷を防止することができる。
【００４３】
・  本実施形態においては、インバータ式蛍光灯１０の電源として直流電源１３を使用したが、図１１に示すように、商用交流電源２８を使用してもよい。この場合、商用交流電源２８は整流装置２９を介してインバータ回路１４に接続する。即ち、商用交流電源２８からの交流電圧を一旦直流電圧に変換し、この直流電圧をインバータ回路１４により高周波電圧に変換する。そして、この高周波電圧を蛍光ランプ１１の電極１１ａ, １１ｂ間に印加することにより、同蛍光ランプ１１を点灯させる。このようにしても、バイパスコンデンサ２２及び限流コンデンサ２３によって点灯回路１２のインピーダンスのバランスが制御され、予熱完了時間を短縮することができる。
【００４４】
・  本実施形態においては、バイパスコンデンサ２２及び限流コンデンサ２３の両者を設けたが、限流コンデンサ２３を省略してもよい。このようにしても、点灯回路１２におけるインピーダンス的なバランスを考慮し、バイパスコンデンサ２２の静電容量及びインピーダンスを微妙に調整することにより、両コンデンサ２２, ２３を設けた場合と同様に、フィラメント巻線２０ａ, ２０ｂの出力電流を制限すると共に、予熱電流Ｉｆｐを増大し、予熱完了時間を短縮することができる。
【００４５】
【発明の効果】
請求項１〜３に記載の発明によれば、蛍光灯の寿命末期において、同一陰極内放電が発生した場合、バイパス素子により異常放電時の急峻な放電エネルギーが吸収されることにより、異常放電電流による発振回路の発振不良を防止することができる。
【００４６】
また、フィラメント巻線の出力電圧を増加させることなく、フィラメント電流のピーク値が増大することにより、電極の予熱完了時間が短縮され、蛍光灯の点灯寿命を向上させることができる。
【図面の簡単な説明】
【図１】  本実施形態におけるインバータ式蛍光灯の回路図。
【図２】  本実施形態におけるフィラメント電流の包絡波形図。
【図３】（ａ）は別の実施形態におけるインバータ式蛍光灯の要部回路図。
（ｂ）は別の実施形態におけるフィラメント電流の包絡波形図。
【図４】（ａ）は別の実施形態におけるインバータ式蛍光灯の要部回路図。
（ｂ）は別の実施形態におけるフィラメント電流の包絡波形図。
【図５】（ａ）は別の実施形態におけるインバータ式蛍光灯の要部回路図。
（ｂ）は別の実施形態におけるフィラメント電流の包絡波形図。
【図６】（ａ）は別の実施形態におけるインバータ式蛍光灯の要部回路図。
（ｂ）は別の実施形態におけるフィラメント電流の包絡波形図。
【図７】（ａ）は別の実施形態におけるインバータ式蛍光灯の要部回路図。
（ｂ）は別の実施形態におけるフィラメント電流の包絡波形図。
【図８】（ａ）は別の実施形態におけるインバータ式蛍光灯の要部回路図。
（ｂ）は別の実施形態におけるフィラメント電流の包絡波形図。
【図９】（ａ）は別の実施形態におけるインバータ式蛍光灯の要部回路図。
（ｂ）は別の実施形態におけるフィラメント電流の包絡波形図。
【図１０】（ａ）は別の実施形態のインバータ式蛍光灯の要部回路図。
（ｂ）は別の実施形態のフィラメント電流の包絡波形図。
【図１１】別の実施形態のインバータ式蛍光灯の要部回路図。
【図１２】従来のインバータ式蛍光灯の回路図。
【図１３】従来のフィラメント電流の包絡波形図。
【符号の説明】
１０…インバータ式蛍光灯、１１…蛍光ランプ（蛍光灯）、
１１ａ, １１ｂ…電極、１２…点灯回路、１３…直流電源（電源）、
１５…発振回路、１６…トランス、１７…一次側巻線、１９…二次側巻線、
２０ａ, ２０ｂ…フィラメント巻線、２１ａ, ２１ｂ…閉ループ回路、
２２…バイパスコンデンサ（バイパス素子）、２３…限流コンデンサ（限流素子）、２４…バイパス抵抗（バイパス素子）、２５…バイパスコイル（バイパス素子）、２６…限流抵抗（限流素子）、２７…限流コイル（限流素子）。
【図１】
0004077989.tif 000002
【図２】
0004077989.tif 000003
【図３】
0004077989.tif 000004
【図４】
0004077989.tif 000005
【図５】
0004077989.tif 000006
【図６】
0004077989.tif 000007
【図７】
0004077989.tif 000008
【図８】
0004077989.tif 000009
【図９】
0004077989.tif 000010
【図１０】
0004077989.tif 000011
【図１１】
0004077989.tif 000012
【図１２】
0004077989.tif 000013
【図１３】
0004077989.tif 000014